(57)【要約】【課題】宛先番号のみを利用して相手のホームページに接続できることにより、インターネットメッセージの転送を簡単に実行可能になる。また、移動端末機のハードウェア資源の限界性にもかかわらず、大部分のインターネットサーバーにメッセージを転送（又は、掲示）することが可能になる。【解決手段】移動通信システムは、インターネットサーバーに転送されるメッセージの宛先アドレスに宛先番号を設定して転送する移動端末機と、移動端末機のメッセージを受信して宛先番号電話番号に対応するインターネットサーバーに前記受信メッセージを転送するサーバーと、該サーバーからメッセージを受信して自分のサイトに掲示し、前記メッセージと共に受信されたメッセージアクセス認証情報を前記掲示されたメッセージのパスワードとして与えるインターネットサーバーとから構成される。【選択図】  図１
2006127512.tif 000002
【特許請求の範囲】
【請求項１】
宛先番号と該宛先番号の接続レベルが含まれたメッセージを転送する第１端末機と、
前記接続レベルに基づいて前記宛先番号に対応するウェブサイトに前記メッセージを登録するインターネットサーバーと
を含むことを特徴とする移動通信システムのメッセージ登録システム。
【請求項２】
前記登録されたメッセージは、
前記ウェブサイトの接続レベルに対応する第２端末機に接続することを特徴とする請求項１に記載の移動通信システムのメッセージ登録システム。
【請求項３】
前記接続レベルは、
前記第１端末機と第２端末機間に設定されることを特徴とする請求項２に記載の移動通信システムのメッセージ登録システム。
【請求項４】
前記登録されたメッセージは、
接続レベルがヌルである場合、前記ウェブサイトにログインされた端末機に接続することを特徴とする請求項２に記載の移動通信システムのメッセージ登録システム。
【請求項５】
前記インターネットサーバーは、
前記宛先番号に対応する端末機に新しいメッセージの登録を通知することを特徴とする請求項１に記載の移動通信システムのメッセージ登録システム。
【請求項６】
前記ウェブサイトに前記宛先番号をマッピングするメモリを含む基地局をさらに含み、
ここで、前記基地局は、第１端末機から前記メッセージを受信し、前記マッピングされたウェブサイトを示すインターネットサーバーに前記メッセージを転送することを特徴とする請求項１に記載の移動通信システムのメッセージ登録システム。
【請求項７】
宛先番号と該宛先番号の接続レベルが含まれたメッセージを転送する第１端末機が転送する過程と、
前記接続レベルに基づいて前記宛先番号に対応するウェブサイトに前記メッセージを登録する過程と
を含むことを特徴とする移動通信システムのメッセージ登録方法。
【請求項８】
前記登録されたメッセージは、
前記ウェブサイトの接続レベルに対応する第２端末機に接続することを特徴とする請求項７に記載の移動通信システムのメッセージ登録方法。
【請求項９】
前記接続レベルは、
前記第１端末機と第２端末機間に設定されることを特徴とする請求項８に記載の移動通信システムのメッセージ登録方法。
【請求項１０】
前記登録されたメッセージは、
接続レベルがヌルである場合、前記ウェブサイトにログインされた端末機に接続することを特徴とする請求項８に記載の移動通信システムのメッセージ登録方法。
【請求項１１】
前記宛先番号に対応する端末機に新しいメッセージの登録を通知する過程をさらに含むことを特徴とする請求項７に記載の移動通信システムのメッセージ登録システム。
【請求項１２】
前記宛先番号をウェブサイトにマッピングする過程と、
前記マッピングされたウェブサイトに前記メッセージを転送する過程をさらに含むことを特徴とする請求項７に記載の移動通信システムのメッセージ登録システム。
【請求項１３】
移動通信システムにおいて、
メッセージに宛先番号を設定して転送する移動端末機と、
前記メッセージを受信し、前記受信されたメッセージを前記宛先番号に対応するインターネットサーバーに転送するサーバーと
から構成されることを特徴とするメッセージ転送システム。
【請求項１４】
前記サーバーは、
移動端末機から前記メッセージが受信されると、宛先番号に対応するインターネットサーバーが登録されているか否かを判断することを特徴とする請求項１３に記載のメッセージ転送システム。
【請求項１５】
前記サーバーは、登録されているインターネットサーバーがない場合、受信されたメッセージをＳＭＳ処理ルーチンに従って宛先番号の移動端末機に転送することを特徴とする請求項１４に記載のメッセージ転送システム。
【請求項１６】
前記サーバーからメッセージが受信されると、受信されたメッセージを掲示し、前記メッセージと共に受信されたメッセージアクセス認証情報を前記掲示されたメッセージのパスワードとして与えるインターネットサーバーをさらに含むことを特徴とする請求項１３に記載のメッセージ転送システム。
【請求項１７】
前記インターネットサーバーは、
前記メッセージアクセス認証情報がヌル値である場合、掲示されるメッセージにパスワードを与えないことを特徴とする請求項１６に記載のメッセージ転送システム。
【請求項１８】
前記インターネットサーバーは、
前記サーバーからメッセージが受信されると、宛先番号の移動端末機に新規メッセージが掲示されたことを通知する通知メッセージを転送することを特徴とする請求項１６に記載のメッセージ転送システム。
【請求項１９】
前記通知メッセージは、
前記掲示されたメッセージのパスワードを含むことを特徴とする請求項１８に記載のメッセージ転送システム。
【請求項２０】
前記メッセージは、
宛先番号、メッセージアクセス認証情報、送信者番号のうち少なくとも１つを含むことを特徴とする請求項１３に記載のメッセージ転送システム。
【請求項２１】
移動端末機のメッセージをサーバーに転送する過程と、
前記サーバーに転送された前記メッセージを宛先番号に対応するインターネットサーバーに転送する過程と
から構成されることを特徴とする移動通信システムのメッセージ転送方法。
【請求項２２】
前記サーバーは、
移動端末機のメッセージが受信されると、前記宛先番号に対応するインターネットサイトが登録されているか否かを判断することを特徴とする請求項２１に記載の移動通信システムのメッセージ転送方法。
【請求項２３】
前記サーバーは、登録されたインターネットサーバーがない場合、受信されたメッセージをＳＭＳ処理ルーチンに従って宛先番号の移動端末機に転送することを特徴とする請求項２２に記載の移動通信システムのメッセージ転送方法。
【請求項２４】
前記所定メッセージは、
宛先番号、メッセージアクセス認証情報、送信者番号のうち少なくとも１つをを含むことを特徴とする請求項２１に記載の移動通信システムのメッセージ転送方法。
【請求項２５】
前記移動端末機は、
前記インターネットサーバーに転送されるメッセージの宛先アドレスに宛先番号を設定して転送することを特徴とする請求項２１に記載の移動通信システムのメッセージ転送方法。
【請求項２６】
前記インターネットサーバーに転送されたメッセージを指定されたページに掲示し、転送されたメッセージのメッセージアクセス認証情報を前記掲示されたメッセージのパスワードとして与える過程をさらに含むことを特徴とする請求項２１に記載の移動通信システムのメッセージ転送方法。
【請求項２７】
前記インターネットサーバーは、前記メッセージアクセス認証情報がヌル値に設定された場合、掲示されるメッセージにパスワードを与えないことを特徴とする請求項２６に記載の移動通信システムのメッセージ転送方法。
【請求項２８】
前記インターネットサーバーは、
前記サーバーからメッセージが受信されると、宛先番号の移動端末機に新規メッセージが掲示されたことを通知する通知メッセージを転送することを特徴とする請求項２６に記載の移動通信システムのメッセージ転送方法。
【請求項２９】
前記通知メッセージは、
前記掲示されたメッセージのパスワードを含むことを特徴とする請求項２８に記載の移動通信システムのインターネットメッセージ転送方法。
【発明の詳細な説明】
【技術分野】
【０００１】
本発明は、移動通信システムのメッセージ転送方法に関し、特に、インターネットサイトにメッセージを転送する方法に関する。
【背景技術】
【０００２】
移動通信技術の急激な発達及び拡散により、移動端末機間のメッセージ転送だけでなく、移動端末機を利用して、インターネットメールの確認又はインターネットサイト（例: ホームページ）とのメッセージ送受信が可能になった。以下、移動端末機とインターネットサイトとの間で送受信されるメッセージを、便宜上、インターネットメッセージという。
【０００３】
図３は、従来技術に係るインターネットメッセージの転送手順を示す図である。
【０００４】
図３に示すように、メッセージをインターネットサイトに転送するために、加入者は、まず、移動端末機の「インターネット接続」メニューを選択する（Ｓ１０）。次に、接続しようとするインターネットホームページのＵＲＬ（Uniform Resource Locator）アドレスを入力し（Ｓ２０）、前記入力されたアドレスのインターネットホームページとの接続を試みる（Ｓ３０）。
【０００５】
次に、前記インターネットホームページに接続されると、該ホームページの掲示板又は芳名録に移動してメッセージを作成する（Ｓ４０＆Ｓ５０）。その後、メッセージの作成が完了すると、前記インターネットホームページとの接続を解除してメッセージの転送手順を終了する（Ｓ６０）。
【０００６】
このような従来のメッセージ転送方法は、メッセージの作成が完了するまでインターネット接続を維持しなければならないため、メッセージ転送に多くの費用がかかるという問題があった。
【０００７】
また、従来のメッセージ転送方法は、ＵＲＬアドレスを一々入力する煩わしさがあり、アクセスしようとするインターネットホームページの正確なＵＲＬアドレスを知らない場合、該当ホームページの掲示板（又は、芳名録）にアクセス訪問できないという問題があった。
【０００８】
また、一般の移動端末機は、パソコンとは異なり、ハードウェア資源（hardware resource）が限られているため、従来のメッセージ転送方法を用いると、加入者が実際にアクセスできるインターネットサイトは非常に制限される。
【発明の開示】
【発明が解決しようとする課題】
【０００９】
本発明の目的は、受信者の電話番号を利用してインターネットサイトにメッセージを転送する移動通信システムのインターネットメッセージ転送方法を提供することにある。
【００１０】
本発明により、宛先番号のみを利用して相手のホームページに接続できることにより、インターネットメッセージの転送を簡単に実行可能になる。また、移動端末機のハードウェア資源の限界性にもかかわらず、大部分のインターネットサーバーにメッセージを転送（又は、掲示）することが可能になる。
【課題を解決するための手段】
【００１１】
このような目的を達成するために、本発明に係る移動通信システムのメッセージ登録システムは、宛先番号と該宛先番号の接続レベルが含まれたメッセージを転送する第１端末機と、前記接続レベルに基づいて前記宛先番号に対応するウェブサイトに前記メッセージを登録するインターネットサーバーとを含むことを特徴とする。
【００１２】
好ましくは、前記移動通信システムのメッセージ登録システムは、前記ウェブサイトに前記宛先番号をマッピングするメモリを含む基地局をさらに含み、ここで、前記基地局は、第１端末機から前記メッセージを受信し、前記マッピングされたウェブサイトを示すインターネットサーバーに前記メッセージを転送する。
【００１３】
このような目的を達成するために、本発明に係る移動通信システムのメッセージ登録方法は、宛先番号と該宛先番号の接続レベルが含まれたメッセージを転送する第１端末機が転送する過程と、前記接続レベルに基づいて前記宛先番号に対応するウェブサイトに前記メッセージを登録する過程とを含むことを特徴とする。
【００１４】
好ましくは、前記移動通信システムのメッセージ登録方法は、前記宛先番号に対応する端末機に新しいメッセージの登録を通知する過程をさらに含む。
【００１５】
好ましくは、前記移動通信システムのメッセージ登録方法は、前記宛先番号をウェブサイトにマッピングする過程と、前記マッピングされたウェブサイトに前記メッセージを転送する過程をさらに含む。
【００１６】
このような目的を達成するために、本発明に係るメッセージ転送システムは、移動通信システムにおいて、移動端末機移動端末機メッセージに宛先番号を設定して転送する移動端末機と、前記メッセージを受信し、前記受信されたメッセージを前記宛先番号に対応するインターネットサーバーに転送するサーバーとから構成されることを特徴とする。
【００１７】
好ましくは、移動端末機移動端末機前記サーバーは、移動端末機から前記メッセージが受信されると、宛先番号に対応するインターネットサーバーが登録されているか否かを判断し、登録されているインターネットサーバーがない場合、受信されたメッセージをＳＭＳ処理ルーチンに従って宛先番号の移動端末機に転送する。好ましくは、本発明に係るインターネットメッセージ転送システムは、前記サーバーからメッセージが受信されると、受信されたメッセージを掲示し、前記メッセージと共に受信されたメッセージアクセス認証番号を前記掲示されたメッセージのパスワードとして与えるインターネットサーバーをさらに含む。
【００１８】
好ましくは、前記インターネットサーバーは、前記メッセージアクセス認証情報がヌル値である場合、掲示されるメッセージにパスワードを与えない。
【００１９】
好ましくは、前記インターネットサーバーは、サーバーからメッセージが受信されると、宛先番号の移動端末機に新規メッセージが掲示されたことを通知する通知メッセージを転送する。前記通知メッセージは、前記掲示されたメッセージのパスワードを含む。
【００２０】
このような目的を達成するために、本発明に係る移動通信システムのメッセージ転送方法は、移動端末機移動端末機移動端末機のメッセージをサーバーに転送する過程と、前記サーバーに転送された前記メッセージを宛先番号に対応するインターネットサーバーに転送する過程と、さらに、前記インターネットサーバーに転送されたメッセージを指定されたページに掲示し、転送されたメッセージのメッセージアクセス認証情報を前記掲示されたメッセージのパスワードとして与える過程とから構成されることを特徴とする。
【００２１】
好ましくは、本発明に係る移動端末機は、加入者が任意のインターネットサイト（例：ホームページ）にメッセージを作成して転送するための別途のメニュー（例：「ホームページ転送」）を備える。前記「ホームページ転送」メニューが選択されると、移動端末機の液晶画面にはホームページ所有者の移動端末機の番号、メッセージアクセス認証番号（例：パスワード）、及びホームページに書き込むメッセージを入力する入力ウィンドウが表示される。
【００２２】
本発明は、以下を提供する：
（項目１）
宛先番号と該宛先番号の接続レベルが含まれたメッセージを転送する第１端末機と、
前記接続レベルに基づいて前記宛先番号に対応するウェブサイトに前記メッセージを登録するインターネットサーバーと
を含むことを特徴とする移動通信システムのメッセージ登録システム。
（項目２）
前記登録されたメッセージは、
前記ウェブサイトの接続レベルに対応する第２端末機に接続することを特徴とする項目１に記載の移動通信システムのメッセージ登録システム。
（項目３）
前記接続レベルは、
前記第１端末機と第２端末機間に設定されることを特徴とする項目２に記載の移動通信システムのメッセージ登録システム。
（項目４）
前記登録されたメッセージは、
接続レベルがヌルである場合、前記ウェブサイトにログインされた端末機に接続することを特徴とする項目２に記載の移動通信システムのメッセージ登録システム。
（項目５）
前記インターネットサーバーは、
前記宛先番号に対応する端末機に新しいメッセージの登録を通知することを特徴とする項目１に記載の移動通信システムのメッセージ登録システム。
（項目６）
前記ウェブサイトに前記宛先番号をマッピングするメモリを含む基地局をさらに含み、
ここで、前記基地局は、第１端末機から前記メッセージを受信し、前記マッピングされたウェブサイトを示すインターネットサーバーに前記メッセージを転送することを特徴とする項目１に記載の移動通信システムのメッセージ登録システム。
（項目７）
宛先番号と該宛先番号の接続レベルが含まれたメッセージを転送する第１端末機が転送する過程と、
前記接続レベルに基づいて前記宛先番号に対応するウェブサイトに前記メッセージを登録する過程と
を含むことを特徴とする移動通信システムのメッセージ登録方法。
（項目８）
前記登録されたメッセージは、
前記ウェブサイトの接続レベルに対応する第２端末機に接続することを特徴とする項目７に記載の移動通信システムのメッセージ登録方法。
（項目９）
前記接続レベルは、
前記第１端末機と第２端末機間に設定されることを特徴とする項目８に記載の移動通信システムのメッセージ登録方法。
（項目１０）
前記登録されたメッセージは、
接続レベルがヌルである場合、前記ウェブサイトにログインされた端末機に接続することを特徴とする項目８に記載の移動通信システムのメッセージ登録方法。
（項目１１）
前記宛先番号に対応する端末機に新しいメッセージの登録を通知する過程をさらに含むことを特徴とする項目７に記載の移動通信システムのメッセージ登録システム。
（項目１２）
前記宛先番号をウェブサイトにマッピングする過程と、
前記マッピングされたウェブサイトに前記メッセージを転送する過程をさらに含むことを特徴とする項目７に記載の移動通信システムのメッセージ登録システム。
（項目１３）
移動通信システムにおいて、
メッセージに宛先番号を設定して転送する移動端末機と、
前記メッセージを受信し、前記受信されたメッセージを前記宛先番号に対応するインターネットサーバーに転送するサーバーと
から構成されることを特徴とするメッセージ転送システム。
（項目１４）
前記サーバーは、
移動端末機から前記メッセージが受信されると、宛先番号に対応するインターネットサーバーが登録されているか否かを判断することを特徴とする項目１３に記載のメッセージ転送システム。
（項目１５）
前記サーバーは、登録されているインターネットサーバーがない場合、受信されたメッセージをＳＭＳ処理ルーチンに従って宛先番号の移動端末機に転送することを特徴とする項目１４に記載のメッセージ転送システム。
（項目１６）
前記サーバーからメッセージが受信されると、受信されたメッセージを掲示し、前記メッセージと共に受信されたメッセージアクセス認証情報を前記掲示されたメッセージのパスワードとして与えるインターネットサーバーをさらに含むことを特徴とする項目１３に記載のメッセージ転送システム。
（項目１７）
前記インターネットサーバーは、
前記メッセージアクセス認証情報がヌル値である場合、掲示されるメッセージにパスワードを与えないことを特徴とする項目１６に記載のメッセージ転送システム。
（項目１８）
前記インターネットサーバーは、
前記サーバーからメッセージが受信されると、宛先番号の移動端末機に新規メッセージが掲示されたことを通知する通知メッセージを転送することを特徴とする項目１６に記載のメッセージ転送システム。
（項目１９）
前記通知メッセージは、
前記掲示されたメッセージのパスワードを含むことを特徴とする項目１８に記載のメッセージ転送システム。
（項目２０）
前記メッセージは、
宛先番号、メッセージアクセス認証情報、送信者番号のうち少なくとも１つを含むことを特徴とする項目１３に記載のメッセージ転送システム。
（項目２１）
移動端末機のメッセージをサーバーに転送する過程と、
前記サーバーに転送された前記メッセージを宛先番号に対応するインターネットサーバーに転送する過程と
から構成されることを特徴とする移動通信システムのメッセージ転送方法。
（項目２２）
前記サーバーは、
移動端末機のメッセージが受信されると、前記宛先番号に対応するインターネットサイトが登録されているか否かを判断することを特徴とする項目２１に記載の移動通信システムのメッセージ転送方法。
（項目２３）
前記サーバーは、登録されたインターネットサーバーがない場合、受信されたメッセージをＳＭＳ処理ルーチンに従って宛先番号の移動端末機に転送することを特徴とする項目２２に記載の移動通信システムのメッセージ転送方法。
（項目２４）
前記所定メッセージは、
宛先番号、メッセージアクセス認証情報、送信者番号のうち少なくとも１つをを含むことを特徴とする項目２１に記載の移動通信システムのメッセージ転送方法。
（項目２５）
前記移動端末機は、
前記インターネットサーバーに転送されるメッセージの宛先アドレスに宛先番号を設定して転送することを特徴とする項目２１に記載の移動通信システムのメッセージ転送方法。
（項目２６）
前記インターネットサーバーに転送されたメッセージを指定されたページに掲示し、転送されたメッセージのメッセージアクセス認証情報を前記掲示されたメッセージのパスワードとして与える過程をさらに含むことを特徴とする項目２１に記載の移動通信システムのメッセージ転送方法。
（項目２７）
前記インターネットサーバーは、前記メッセージアクセス認証情報がヌル値に設定された場合、掲示されるメッセージにパスワードを与えないことを特徴とする項目２６に記載の移動通信システムのメッセージ転送方法。
（項目２８）
前記インターネットサーバーは、
前記サーバーからメッセージが受信されると、宛先番号の移動端末機に新規メッセージが掲示されたことを通知する通知メッセージを転送することを特徴とする項目２６に記載の移動通信システムのメッセージ転送方法。
（項目２９）
前記通知メッセージは、
前記掲示されたメッセージのパスワードを含むことを特徴とする項目２８に記載の移動通信システムのインターネットメッセージ転送方法。
【００２３】
本発明の移動通信システムは、インターネットサーバーに転送されるメッセージの宛先アドレスに宛先番号を設定して転送する移動端末機と、移動端末機のメッセージを受信して宛先番号電話番号に対応するインターネットサーバーに前記受信メッセージを転送するサーバーと、該サーバーからメッセージを受信して自分のサイトに掲示し、前記メッセージと共に受信されたメッセージアクセス認証情報を前記掲示されたメッセージのパスワードとして与えるインターネットサーバーとから構成される。
【発明の効果】
【００２４】
従来のメッセージ転送方法はホームページのＵＲＬアドレスを正確に知っているときにのみ相手のホームページ掲示板（又は、芳名録）にメッセージを書き込むことができたが、本発明は、受信者の電話番号のみで相手のホームページに接続できるため、インターネットメッセージの転送を簡単に実行できるという効果がある。
【００２５】
また、本発明は、別途のインターネット接続過程なしにメッセージ転送を実行するので、インターネット接続による費用がかからない。また、移動端末機のハードウェア資源の限界性にもかかわらず、大部分のインターネットサイトにメッセージを転送（又は、掲示）することができるという効果がある。
【００２６】
また、本発明は、メッセージにアクセス認証番号を設定することにより、送信側の加入者がメッセージの保安レベル（公開又は非公開）を決定できるという効果がある。
【発明を実施するための最良の形態】
【００２７】
以下、本発明の好ましい実施形態を図面を参照して説明する。
【００２８】
図１は、本発明に係る移動通信システムの構成を示す図である。
【００２９】
図１に示すように、本発明に係る移動通信システムは、インターネットサイトに転送されるメッセージの宛先アドレスに受信者の電話番号を設定して転送する移動端末機１０と、該移動端末機１０のメッセージを受信して受信者の電話番号に対応するインターネットサイトに前記受信メッセージを転送するサーバー２０（例: 基地局）と、該基地局２０からメッセージを受信して自分のサイトに掲示し、メッセージと共に受信されたメッセージアクセス認証番号を前記掲示されたメッセージのパスワードとして与えるインターネットサーバー３０と、から構成される。
【００３０】
インターネットサーバー３０は、基地局２０からメッセージが受信されると、受信側の移動端末機４０に新規メッセージが掲示されたことを通知する。
【００３１】
図２は、本発明に係るインターネットメッセージの転送手順を示す図である。
【００３２】
以下、図１及び図２を参照して、本発明に係るメッセージ転送方法を詳細に説明する。
【００３３】
まず、ホームページのようなインターネットサイトにメッセージを書き込む場合、加入者は、移動端末機１０の「ホームページ転送」メニューを選択し（Ｓ１１０）、ホームページ所有者の移動端末機の番号（又は宛先番号）（以下、受信者の電話番号という）を入力（又は、電話帳から選択）した後、該当ホームページに残すメッセージを作成する。
【００３４】
その後、メッセージの作成が完了すると、加入者はメッセージアクセス認証番号に任意の値を入力した後、転送キー（Send Key）を押して前記作成されたメッセージを前記加入者の移動端末機の番号（以下、送信者の電話番号という）、受信者の電話番号、メッセージアクセス認証番号と共に基地局２０に転送する（Ｓ１２０＆Ｓ１３０）。前記メッセージアクセス認証番号は、メッセージの保安レベル（公開又は非公開）を設定するためのものであり、加入者がメッセージアクセス認証番号を入力しないと、メッセージアクセス認証番号はヌル（Null）値あるいは初期値（例:「００００」）を維持し、前記メッセージの保安等級は「公開」に設定される。しかしながら、加入者がメッセージアクセス認証番号に特定値を入力すると、メッセージの保安レベルは「非公開」に設定されて前記認証番号を知っている人のみがメッセージを閲覧できる。
【００３５】
前記メッセージを受信した基地局２０は、まず、前記受信者の電話番号に対応する受信者の有線インターネット（又は、無線インターネット）ホームページがメモリに登録されているか否かを判断する（Ｓ１４０）。前記受信者の電話番号に対応するインターネットホームページは、加入者の要求により登録、変更、削除される。
【００３６】
受信者のホームページがメモリに登録されていない場合、基地局２０は、移動端末機１０から受信したメッセージを一般のＳＭＳ（Short Message Service）処理ルーチンに従って受信側の移動端末機４０に転送し（Ｓ１５０）、受信者のホームページがメモリに登録されている場合は、登録されたホームページサーバーアカウントに送信者の電話番号、受信者の電話番号、メッセージの内容、メッセージアクセス認証番号を転送する（Ｓ１６０）。前記ＳＭＳ処理ルーチンは、移動端末機１０から受信されたメッセージの種類によって、ＬＭＳ（Learning Management System）処理ルーチン又はＭＭＳ（Multi-media Messaging Service）処理ルーチンを使用することもできる。
【００３７】
次に、前記ホームページのサーバー３０、５０は、受信したメッセージの内容と送信者の電話番号をホームページの掲示板（又は、芳名録）のような指定されたページに掲示し、前記メッセージと共に受信されたメッセージアクセス認証番号をその書き込みのパスワードとして与える（Ｓ１６０）。前述したように、前記メッセージアクセス認証番号がヌル値あるいは初期値（「００００」）に設定されると、全ての訪問者に該当書き込みの閲覧が許容され、前記メッセージアクセス認証番号に特定値が設定されると、パスワードを入力した訪問者にのみ該当書き込みの閲覧が許容される。
【００３８】
一方、前記ホームページサーバー３０、５０は、受信側の移動端末機４０に「ホームページに新規メッセージが掲示された」という通知メッセージ（ＳＭＳ）を転送する。そして、受信者が該当書き込みを閲覧できるように、メッセージアクセス認証番号（パスワード）も共に転送する（Ｓ１７０）。
【００３９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４０】
【図１】本発明に係る移動通信システムの構成を示す図である。
【図２】本発明に係るインターネットメッセージの転送手順を示す図である。
【図３】従来技術に係るインターネットメッセージの転送手順を示す図である。
【符号の説明】
【００４１】
１０：送信側の移動端末機
２０：基地局
３０、５０：インターネットサーバー
４０：受信側の移動端末機
【図１】
2006127512.tif 000003
【図２】
2006127512.tif 000004
【図３】
2006127512.tif 000005